(57)【要約】【課題】  一般消費者が簡単に組み立てることができると共に、第１のフェンス部と第２のフェンス部の水平面内での角度を調節することができるようにした目隠しフェンスを提供する。【解決手段】  目隠しフェンス１は、上下方向に延びた芯棒と、長手方向の端部に芯棒が挿入可能な貫通孔７が形成された複数の木材板６とを備える。複数の木材板６は、芯棒６から右方向と左方向に交互に延び、右方向に延びた木材板６からなり上下方向に隣接する木材板の間にスペースを有する第１のフェンス部２と、左方向に延びた木材板６からなり上下方向に隣接する木材板６の間にスペースを有する第２のフェンス部３とを形成するように、複数の木材板６に固定されることなく、それらの貫通孔７に芯棒４ａが挿入される。【選択図】図１
0003171173.tif 000002
【実用新案登録請求の範囲】
【請求項１】
長手方向の端部に貫通孔が形成され、前記貫通孔が上下方向に重なるように積み重ねられた複数の木材板と、
前記複数の木材板の貫通孔に、当該複数の木材板に固定されることなく挿入された第１の芯棒と、
前記第１の芯棒の外周部に前記複数の木材板のうち、最も下に配置された木材板の下面に当接するように取り付けられ、前記複数の木材板の荷重を支える支持部材と、を備え、
前記複数の木材板は、前記第１の芯棒から右方向と左方向に交互に延び、右方向に延びた木材板からなり上下方向に隣接する木材板の間にスペースを有する第１のフェンス部と、左方向に延びた木材板からなり上下方向に隣接する木材板の間にスペースを有する第２のフェンス部とを形成することを特徴とする目隠しフェンス。
【請求項２】
前記第１のフェンス部における前記木材板の長手方向の他方の端部に形成された貫通孔に挿入された第２の芯棒と、
長手方向の両端部にそれぞれ第１及び第２の貫通孔が形成され、第１の貫通孔に前記第１の芯棒が挿入され、第２の貫通孔に前記第２の芯棒が挿入され、前記第１のフェンス部の最上部の木材板の上に積み重ねられた第２の木材板と、
前記第２の木材板と、前記複数の木材板のうち最上部の木材板の間のスペースに挿入され、前記第１の芯棒が挿入される貫通孔を有する第１のスペーサ部材と、
前記第２の木材板と、前記複数の木材板のうち最上部の木材板の間のスペースに挿入され、前記第２の芯棒が挿入される貫通孔を有する第２のスペーサ部材と、を備えることを特徴とする請求項１又は２に記載の目隠しフェンス。
【請求項３】
前記第１のフェンス部又は前記第２のフェンス部における前記スペースに第１の目隠し板が嵌め込まれていることを特徴とする請求項１又は２に記載の目隠しフェンス。
【請求項４】
前記第１のフェンス部又は前記第２のフェンス部における前記スペースに複数の第２の目隠し板が、前記木材板の長手方向に沿って、所定の間隔で嵌め込まれており、かつ複数の第２の目隠し板は、木材板が間引きされて広くなった前記スペースに嵌め込まれていることを特徴とする請求項１乃至３のいずれかに記載の目隠しフェンス。
【請求項５】
前記第１のフェンス部又は前記第２のフェンス部の長手方向に対して直角に延びるように、前記第１のフェンス部又は前記第２のフェンス部に取り付けられた控え壁を備えることを特徴とする請求項１乃至４のいずれかに記載の目隠しフェンス。
【請求項６】
前記第１のフェンス部又は前記第２のフェンス部における前記スペースから前方に張り出すように、前記木材板に物置棚が取り付けられていることを特徴とする請求項１乃至５のいずれかに記載の目隠しフェンス。
【考案の詳細な説明】
【技術分野】
【０００１】
本考案は、家屋外や家屋内に設置される目隠しフェンスに関するものである。
【背景技術】
【０００２】
従来より、目隠しや防犯のため、家屋を囲んで設置される目隠しフェンスが知られている。この種の目隠しフェンスは特許文献１〜３に記載されている。特許文献４には、貫通した穴を有する穴空き木材を複数段組積した木製組積塀が開示されているが、貫通した穴にはモルタルが充填されており、一般消費者が簡単に組み立てることは難しい。また、この木製組積塀はモルタルで固定されたものなので、水平面内で屈曲させることができない。
【先行技術文献】
【特許文献】
【０００３】
【特許文献１】実開平７−２３１０７号公報
【特許文献２】特開平６−２４０９２８号公報
【特許文献３】特開２０００−５４６４２号公報
【特許文献４】特開２０１１−２６８７４号公報
【考案の概要】
【考案が解決しようとする課題】
【０００４】
従来の目隠しフェンスは、大工等の専門業者が一般消費者の要望に応じて施工するものであり、一般消費者が簡単に組み立てることは困難であり、水平面内での角度調整ができないという問題があった。
【課題を解決するための手段】
【０００５】
本考案の目隠しフェンスは、上記課題に鑑みてなされたものであり、長手方向の端部に貫通孔が形成され、前記貫通孔が上下方向に重なるように積み重ねられた複数の木材板と、前記複数の木材板の貫通孔に、当該複数の木材板に固定されることなく挿入された第１の芯棒と、前記第１の芯棒の外周部に前記複数の木材板のうち、最も下に配置された木材板の下面に当接するように取り付けられ、前記複数の木材板の荷重を支える支持部材と、を備え、前記複数の木材板は、前記第１の芯棒から右方向と左方向に交互に延び、右方向に延びた木材板からなり上下方向に隣接する木材板の間にスペースを有する第１のフェンス部と、左方向に延びた木材板からなり上下方向に隣接する木材板の間にスペースを有する第２のフェンス部とを形成することを特徴とする。
【考案の効果】
【０００６】
請求項１に係る考案によれば、一般消費者が簡単に組み立てることができる目隠しフェンスを提供することができる。また、第１の芯棒は、複数の木材板の貫通孔に複数の木材板に固定されることなく挿入されているので、第１のフェンス部と第２のフェンス部の水平面内での角度を調節することができる。
【０００７】
請求項２に係る考案によれば、第１のフェンス部を同じ構造を維持しながら第２のフェンス部より高くすることができる。
【０００８】
請求項３に係る考案によれば、第１及び第２のフェンス部の必要な個所における目隠し機能を高めることができる。
【０００９】
請求項４に係る考案によれば、目隠し機能を高めると共に、機械的強度を補強し、外観にも変化を持たせることができる。
【００１０】
請求項５に係る考案によれば、前記第１のフェンス部又は前記第２のフェンス部に控え壁を追加したものであり、特に長いフェンスを形成した場合に有効である。
【００１１】
請求項６に係る考案は、物置棚を設けることにより、目隠しフェンスを有効活用した
ものである。
【００１２】
請求項１〜６に係る本考案の目隠しフェンスは、目隠しや防犯用のものだけでなく、屋内空間の間仕切り用（パーティション用）としても利用することができる。
【図面の簡単な説明】
【００１３】
【図１】本考案の第１の実施形態における目隠しフェンスの平面図及び断面図である。
【図２】本考案の第１の実施形態における目隠しフェンスの回転させた様子を示す平面図である。
【図３】本考案の第１の実施形態における目隠しフェンスの回転させた様子を示す平面図である。
【図４】本考案の第２の実施形態における目隠しフェンスの平面図及び断面図である。
【図５】本考案の第３の実施形態における目隠しフェンスの平面図及び断面図である。
【図６】本考案の第４の実施形態における目隠しフェンスの平面図及び断面図である。
【考案を実施するための形態】
【００１４】
＜＜第１の実施形態＞＞
図１（ａ）は、本考案の第１の実施形態における目隠しフェンス１の平面図、図１（ｂ）は、図１（ａ）の平面図のＡ−Ａ線における断面図である。
【００１５】
目隠しフェンス１は、第１のフェンス部２、第２のフェンス部３、及び芯棒４ａ〜４ｃ、基礎コンクリート部材５ａ〜５ｃ等から構成される。基礎コンクリート部材５ａ〜５ｃは家屋の周辺の地中にそれらの一部又は全部が埋められ、それぞれの基礎コンクリート部材５ａ〜５ｃに、鋼材等の金属材からなり、第１のフェンス部２、第２のフェンス部３の支柱として機能する芯棒４ａ〜４ｃの一端が埋め込まれている。これにより、芯棒４ａ〜４ｂは地面から上方に立設される。これらの芯棒４ａ〜４ｃは中空のパイプであってもよい。
【００１６】
第１のフェンス部２及び第２のフェンス部３は、杉等の間伐材を利用して加工された木材板６で構成されている。木材板６は、例えば、直方体の形状であり、その長手方向の両端部を厚さ方向に貫通する貫通孔７が形成されている。貫通孔７の直径は、芯棒４ａ〜４ｂの外径よりやや大きく、芯棒４ａ〜４ｃが挿入可能になっている。
【００１７】
複数の木材板６は、長手方向の一方の端部の貫通孔７が上下方向に重なるように積み重ねられている。そして、複数の木材板６の一方の端部の貫通孔７に、目隠しフェンス１の中央に配置された芯棒４ａが挿入されており、複数の木材板６は、芯棒４ａを基準として右方向と左方向に交互に延びるように積み重ねられている。
【００１８】
第１のフェンス部２は、芯棒４ａから右方向に延びた複数枚の木材板６により構成され、第２のフェンス部３は、芯棒４ａから左方向に延びた複数枚の木材板６により構成される。第１及び第２のフェンス部２、３において、上下方向に隣接する木材板６の間にはスペース（空隙）が形成される。第１のフェンス部２を構成する木材板６の長手方向の他方の端部の貫通孔７には、芯棒４ｂが挿入されている。同様に、第２のフェンス部３を構成する木材板６の他方の端部の貫通孔７には、芯棒４ｃが挿入されている。
【００１９】
第１のフェンス部２及び第２のフェンス部３の最も下に配置された木材板６ａにも芯棒４ａ〜４ｃが挿入される貫通孔７が形成されているが、その上方に積み上げられた木材板６の荷重に耐えられるように比較的厚くなっている。そして、芯棒４ａ〜４ｃの外周部には、例えばリング状の、支持部材８が取り付けられている。この支持部材８の上面に、木材板６ａの下面が当接するが、支持部材８は第１のフェンス部２及び第２のフェンス部３の荷重を支えるものであって、木材板６、６ａには固定されていない。
【００２０】
なお、第１及び第２のフェンス部２、３の芯棒４ｂ，４ｃが挿入されている側の端部において、上下方向に隣接する木材板６、６ａの間に、上方に積み上げられた木材板６を支持するためのスペーサ部材２０を挿入することが目隠しフェンス１の強度を向上する上で好ましい。この場合、スペーサ部材２０は木材板６の貫通孔７と同じ直径の貫通孔を有しており、この貫通孔に対応する芯棒４ｂ，４ｃが挿入される。
【００２１】
このように、第１及び第２のフェンス部２、３において、上下方向に隣接する木材板６の間にはスペースが形成され、全体として見ると、ネット状の目隠しフェンス１になっている。
【００２２】
そして、芯棒４ａは、木材板６、６ａに固定具で固定されることなく挿入されているので、図２に示すように、第１のフェンス部２と第２のフェンス部３の水平面内での角度を調整できる。図２（ａ）は、第１及び第２のフェンス部２、３が直線状に延びた状態を示し、図２（ｂ）は、第１のフェンス部２及び第２のフェンス部が屈曲した状態を示している。図１のように芯棒４ｂ〜４ｂが地面に対して固定されている場合は、第１のフェンス部２と第２のフェンス部３は、芯棒４ａを中心に回転自在になってはいないが、芯棒４ｂ，４ｃを支える基礎コンクリート部材５ｂ，５ｃの代わりに、芯棒４ｂ，４ｃの下端部を可動支持台に取り付けることにより、施工後であっても、第１のフェンス部２と第２のフェンス部３は、芯棒４ａを中心に水平面内で回転自在にすることができる。
【００２３】
また、図１に示すように、第１のフェンス部２及び第２のフェンス部３の長手方向に対して直角に延びるように、第１のフェンス部２及び第２のフェンス部３に控え壁１６を取り付けることもできる。控え壁１６は、目隠しフェンス１が図３のように連結されて長いフェンスを形成する場合に特に有効である。なお、図２、図３において、控え壁１６の図示を省略している。
【００２４】
この場合、複数の木材板６の長手方向の途中（例えば、中央部）に貫通孔を形成しておき、控え壁１６の端部にも貫通孔を形成しておく。控え壁１６の端部は上下方向に隣接する木材板６の間にはスペースに入り込む形になる。そして、複数の木材板６の貫通孔と控え壁１６の端部の貫通孔を上下方向に揃うように配置し、当該貫通孔に芯棒を挿入し、芯棒を木材板６にボルト等で固定することですることで、控え壁１６を第１のフェンス部２及び第２のフェンス部３に固定することができる。控え壁１６の高さは任意に調整することができる。控え壁１６は、第１のフェンス部２、第２のフェンス部３のいずれか一方に設けるようにしてもよい。また、この控え壁１６は以下に説明する他の実施形態の目隠しフェンス１ａ、１ｂ、１ｃにおいても取り付け可能である。
【００２５】
上述の目隠しフェンス１の施工方法を説明すると、まず、基礎コンクリート部材５ａ〜５ｃを所定の位置に設置し、基礎コンクリート部材５ａ〜５ｃから芯棒４ａ〜４ｃを立設する。その後、木材板６ｂ、６の貫通孔７に芯棒４ａ〜４ｃを通して交互に積み上げることにより目隠しフェンス１を形成する。そして、必要に応じて、前記控え壁１６を取り付けることもできる。
【００２６】
このように、本考案の第１の実施形態によれば、基礎コンクリート部材５ａ〜５ｃの設置工事を除けば、一般消費者が簡単に組み立てることができると共に、上下方向に隣接する木材板６の間にスペースを設けているので、適度な目隠し機能、良好な通気性、低コスト性、美観を備えた、ネット状の目隠しフェンスを提供することができる。目隠し機能は、全面目隠しする場合と比べると完全ではないが、使用環境によってはこの程度目隠しすれば十分であり、通気性を良好にし、材料費の節約にもなる。
【００２７】
また、左右方向に隣接する第１及び第２のフェンス部２、３は、使用目的に応じて、第１、第２のフェンス部２、３の成す角度を調節することができる。
【００２８】
また、木材板６、６ａの寸法、個数等を変更することで、バリエーションに富んだ目隠しフェンスを簡単に構築することができる。
【００２９】
さらに、目隠しフェンス１は、目隠しや防犯用のものだけでなく、屋内空間の間仕切り用としても利用することができる。この場合、基礎コンクリート部材５ａ〜５ｃの代わりに、適当な支持台を用いればよく、例えば、ストッパ付き車輪を備えた台車等の可動支持台を用いることにより、第１のフェンス部又は第２のフェンス部２、３を、芯棒４ａを中心に回転させて、使用目的に応じて、第１、第２のフェンス部２、３の成す角度を調節することができる。
【００３０】
また、図３に示すように、第１、第２のフェンス部２、３に加えて第３のフェンス部９を同様の構造で連結することもできる。図３（ａ）は、第１、第２及び第３のフェンス部２、３、９が直線状に連結された状態を示し、図３（ｂ）は、第１、第２及び第３のフェンス部２、３、９が屈曲した状態を示している。同様にして、さらに多数のフェンス部を連結することもできる。
【００３１】
＜＜第２の実施形態＞＞
図４（ａ）は、本考案の第２の実施形態における目隠しフェンス１ａの平面図、図４（ｂ）は、図４（ａ）の平面図のＡ−Ａ線における断面図である。
【００３２】
この目隠しフェンス１ａは、第１の実施形態における第１のフェンス部２の上に、さらに１枚以上の木材板６ｂ（第２の木材板）を所定のスペースを設けながら積み上げたものであり、その他の構成は第１の実施形態における目隠しフェンス１と同じである。
【００３３】
木材板６ｂは、第１及び第２のフェンス部２、３を構成している木材板６ａと同じ部材であって、長手方向の両端部に貫通孔７が形成されている。そして、木材板６ｂの長手方向の一方の端部の貫通孔７に芯棒４ａが挿入され、長手方向の他方の端部の貫通孔７に芯棒４ｂが挿入されることで、木材板５ｂは最上部の木材板６の上に積み重ねられる。この場合、木材板６ｂと、その下方に隣接する最上部の木材板６との間にスペースを設けるために、当該スペースに木材からなる第１のスペーサ部材１０及び第２のスペーサ部材１１が挿入される。
【００３４】
第２のスペーサ部材１０、１１は、木材板６の左右方向の重なり幅と同じ幅を有しており、その中央に、貫通孔７と同じ直径の貫通孔１２が形成されている。第２のスペーサ部材１０、１１の貫通孔１２には、それぞれ芯棒４ａ、４ｂが挿入される。同様にして、木材板６ｂをさらに所望の枚数だけ積み上げることができる。積み上げられた木材板６ｂは、第１のフェンス部２と一体化される。これにより、第１のフェンス部２を同じネット状構造を維持しながら第２のフェンス部３より高くすることができる。
【００３５】
＜＜第３の実施形態＞＞
図５（ａ）は、本考案の第３の実施形態における目隠しフェンス１ｂの平面図、図５（ｂ）は、図５（ａ）の平面図のＡ−Ａ線における断面図である。
【００３６】
この目隠しフェンス１ｂは、第１の実施形態における目隠しフェンス１に、第１の目隠し板１３、第２の目隠し板１４、及び物置棚１５を設置したものである。これらの部材は必要に応じて適宜設置されるものである。
【００３７】
第１の目隠し板１３は、木材等からなり、上下方向に隣接する木材板６の間に形成されたスペースに嵌め込まれる。第２の目隠し板１４も木材等からなるが、その幅は、第２の目隠し板１４より短くなっており、所定の間隔で、複数の第２の目隠し板１４が前記スペースに嵌め込まれる。この場合、第２の目隠し板１４は、木材板６が１枚間引きされて広くなったスペースに挿入されることにより、目隠しフェンス１ｂの機械的強度を補強できると共に、外観に変化を持たせることができる。また、第２の目隠し板１４の中央付近を前後方向に貫通する貫通孔を形成することにより、風通しを良くし、意匠性をより一層を高めることができる。
【００３８】
物置棚１５は、上下方向に隣接する木材板６のスペースから前方に張り出すように、木材板６の上面又は下面に取り付けられる。物置棚１５は、例えば、本棚として利用することができ、この場合、第１のフェンス部２、第２のフェンス部は、本等の背もたれ（落下防止材）として機能する。
【００３９】
＜＜第４の実施形態＞＞
図６（ａ）は、本考案の第４の実施形態における目隠しフェンス１ｃの平面図、図６（ｂ）は、図６（ａ）の平面図のＡ−Ａ線における断面図である。
【００４０】
本実施形態の目隠しフェンス１ｃは、屋内空間の間仕切り用（パーティション用）として利用する場合に適した構成を提供する。すなわち、芯棒４ａ、４ｂ，４ｃの下端部（足部）は、それぞれ床面に載置される支持台１７ａ，１７ｂ，１７ｃ（例えば、円板形状）に固定され、支持されている。これにより、目隠しフェンス１ｃは床面上を移動可能になっている。
【符号の説明】
【００４１】
１、１ａ、１ｂ、１ｃ  目隠しフェンス
２    第１のフェンス部
３    第２のフェンス部
４ａ、４ｂ、４ｃ    芯棒
５ａ、５ｂ、５ｃ    基礎コンクリート部材
６、６ａ、６ｂ    木材板
７    貫通孔
８    支持部材
９    第３のフェンス部
１０    第１のスペーサ部材
１１    第２のスペーサ部材
１２    貫通孔
１３    第１の目隠し板
１４    第２の目隠し板
１５    物置棚
１６    控え壁
１７ａ、１７ｂ、１７ｃ    支持台
２０    スペーサ部材
【図１】
0003171173.tif 000003
【図２】
0003171173.tif 000004
【図３】
0003171173.tif 000005
【図４】
0003171173.tif 000006
【図５】
0003171173.tif 000007
【図６】
0003171173.tif 000008
【手続補正書】
【提出日】平成23年8月12日(2011.8.12)
【手続補正１】
【補正対象書類名】実用新案登録請求の範囲
【補正対象項目名】請求項２
【補正方法】変更
【補正の内容】
【請求項２】
前記第１のフェンス部における前記木材板の長手方向の他方の端部に形成された貫通孔
に挿入された第２の芯棒と、
長手方向の両端部にそれぞれ第１及び第２の貫通孔が形成され、第１の貫通孔に前記第
１の芯棒が挿入され、第２の貫通孔に前記第２の芯棒が挿入され、前記第１のフェンス部
の最上部の木材板の上に積み重ねられた第２の木材板と、
前記第２の木材板と、前記複数の木材板のうち最上部の木材板の間のスペースに挿入さ
れ、前記第１の芯棒が挿入される貫通孔を有する第１のスペーサ部材と、
前記第２の木材板と、前記複数の木材板のうち最上部の木材板の間のスペースに挿入さ
れ、前記第２の芯棒が挿入される貫通孔を有する第２のスペーサ部材と、を備えることを
特徴とする請求項１に記載の目隠しフェンス。